(57)【要約】【課題】画素のレイアウト面積のさらなる縮小化を可能にする。【解決手段】ストライプ配列されてなる有機ＥＬ表示装置において、同一の画素行で左右に隣接する２つの画素回路１０，１０を対とし、これら２つの画素回路１０，１０をそれぞれ画素行の画素配列方向（図の左右方向）における逆方向（左側の画素回路については右方向、右側の画素回路については左方向）から見たときに、有機ＥＬ素子１１および回路素子（１２〜１８）のレイアウト形状が対称になるように２つの画素回路１０，１０を形成するとともに、配線パターンが対称になるように電源線２６，２７を２つの画素回路１０，１０に配線する。【選択図】図１
2008033091.tif 000002
【特許請求の範囲】
【請求項１】
表示輝度を決定する電気光学素子および当該電気光学素子を駆動する駆動回路を含む画素回路がマトリクス状に配置されてなる画素アレイ部と、
前記画素アレイ部の画素列の画素配列方向に沿って配線され、前記画素回路に第一の電源電位を供給する第一の電源線と、
前記画素アレイ部の画素列の画素配列方向に沿って配線され、前記画素回路に第二の電源電位を供給する第二の電源線とを備え、
前記画素アレイ部の隣接する２つの画素回路を対とし、
前記２つの画素回路は、当該２つの画素回路をそれぞれ前記画素アレイ部の画素行の画素配列方向における逆方向から見たときに、前記電気光学素子および前記駆動回路のレイアウト形状が対称になるように形成され、
前記第一，第二の電源線は、前記２つの画素回路をそれぞれ前記逆方向から見たときに配線パターンが対称になるように前記２つの画素回路に配線されている
ことを特徴とする表示装置。
【請求項２】
前記画素回路の配列がストライプ配列であり、
前記２つの画素回路は、前記画素アレイ部の同一の画素行において左右に隣接し、
前記第一の電源線は、前記２つの画素回路の一方に配線され、
前記第二の電源線は、前記２つの画素回路の他方に配線されている
ことを特徴とする請求項１記載の表示装置。
【請求項３】
前記画素回路の配列がデルタ配列であり、
前記２つの画素回路は、前記画素アレイ部の隣接する２つの画素行間において斜めに隣接し、
前記第一，第二の電源線は、前記２つの画素回路をそれぞれ前記逆方向から見たときに配線パターンの位置が逆になるように前記２つの画素回路の双方に配線されている
ことを特徴とする請求項１記載の表示装置。
【請求項４】
前記画素回路は、
前記駆動トランジスタのソースと第一の電源電位との間に接続された第一のスイッチングトランジスタと、
前記駆動トランジスタのゲートと第二の電源電位との間に接続された第二のスイッチングトランジスタと、
前記駆動トランジスタのゲートとソースとの間に接続されたキャパシタとを有し、
前記第一，第二の電源線は、前記画素回路に対して前記第一，第二の電源電位を供給する電源線である
ことを特徴とする請求項１記載の表示装置。
【請求項５】
前記画素回路は、当該画素回路内の信号線部位に一端が接続された画素容量を有し、
前記２つの画素回路における前記画素容量の各他端は、前記第一，第二の電源線にそれぞれ接続されている
ことを特徴とする請求項１記載の表示装置。
【請求項６】
前記画素回路の配列がストライプ配列であり、
前記２つの画素回路は、前記画素アレイ部の同一の画素行において左右に隣接し、
前記第一の電源線は、前記２つの画素回路の一方に配線され、
前記第二の電源線は、前記２つの画素回路の他方に配線されている
ことを特徴とする請求項５記載の表示装置。
【請求項７】
前記画素回路の配列がデルタ配列であり、
前記２つの画素回路は、前記画素アレイ部の隣接する２つの画素行間において斜めに隣接し、
前記第一，第二の電源線は、前記２つの画素回路をそれぞれ前記逆方向から見たときに配線パターンの位置が逆になるように前記２つの画素回路の双方に配線されている
ことを特徴とする請求項５記載の表示装置。
【請求項８】
表示輝度を決定する電気光学素子および当該電気光学素子を駆動する駆動回路を含む画素回路がマトリクス状に配置されてなる画素アレイ部と、
前記画素アレイ部の画素列の画素配列方向に沿って配線され、前記画素回路に第一の電源電位を供給する第一の電源線と、
前記画素アレイ部の画素列の画素配列方向に沿って配線され、前記画素回路に第二の電源電位を供給する第二の電源線と
を備えた表示装置における画素回路のレイアウト方法であって、
前記画素アレイ部の隣接する２つの画素回路を対とし、前記２つの画素回路をそれぞれ前記画素アレイ部の画素行の画素配列方向における逆方向から見たときに、前記電気光学素子および前記駆動回路のレイアウト形状が対称になるように前記２つの画素回路を形成するとともに、
前記２つの画素回路をそれぞれ前記逆方向から見たときに配線パターンが対称になるように前記第一，第二の電源線を前記２つの画素回路に配線する
ことを特徴とする画素回路のレイアウト方法。
【発明の詳細な説明】
【技術分野】
【０００１】
本発明は、表示装置および画素回路のレイアウト方法に関し、特にパネル型の表示装置および当該表示装置における画素回路のレイアウト方法に関する。
【背景技術】
【０００２】
近年、表示装置の分野では、液晶表示装置（ＬＣＤ；liquid crystal display）、ＥＬ(electro luminescence)表示装置、プラズマ表示装置（ＰＤＰ；Plasma Display Panel）等のパネル型の表示装置が、薄型、軽量、高精細などの特長を有するために、従来のＣＲＴ(Cathode Ray Tube)表示装置に代わって主流になりつつある。
【０００３】
パネル型の表示装置のうち、電気光学素子を含む画素回路に能動素子を配置してなるアクティブマトリクス型の表示装置では、ＴＦＴ（Thin Film Transistor;薄膜トランジスタ）などで回路を形成できるために、当該ＴＦＴ回路によって画素回路の高機能化を図ることが可能である。
【０００４】
ＴＦＴ回路を用いたアクティブマトリクス型表示装置では、閾値電圧Ｖｔｈや移動度μなどのＴＦＴ特性のバラツキがあるために、画素回路個々に補正回路を設け、当該補正回路によってＴＦＴ特性のバラツキ補正を行うことで高画質化を図るのが一般的である。このように、画素回路に補正回路を設けた場合、画素回路に電源電圧を供給する電源線の配線数が増加しがちであり、配線数の増加によって画素のレイアウト面積が圧迫されるために、表示装置の多画素化に伴う高精細化の妨げとなる。
【０００５】
そのため、従来は、隣り合う２つの画素回路間に電源線を配線し、当該電源線を２つの画素回路で共有することで、画素（画素回路）のレイアウト面積を縮小し、表示装置の高精細化を図っていた（例えば、特許文献１参照）。
【０００６】
【特許文献１】特開２００５−１０８５２８号公報
【発明の開示】
【発明が解決しようとする課題】
【０００７】
本発明は、さらに高精細化を図るために、画素回路のレイアウト面積のさらなる縮小化を可能にした表示装置当該表示装置における画素回路のレイアウト方法を提供することを目的とする。
【課題を解決するための手段】
【０００８】
上記目的を達成するために、本発明は、表示輝度を決定する電気光学素子および当該電気光学素子を駆動する駆動回路を含む画素回路がマトリクス状に配置されてなる画素アレイ部と、前記画素アレイ部の画素列の画素配列方向に沿って配線され、前記画素回路に第一，第二の電源電位を供給する第一，第二の電源線とを備えた表示装置において、前記画素アレイ部の隣接する２つの画素回路を対とし、これら２つの画素回路をそれぞれ前記画素アレイ部の画素行の画素配列方向における逆方向から見たときに、前記電気光学素子および前記駆動回路のレイアウト形状が対称になるように前記２つの画素回路を形成するとともに、前記２つの画素回路をそれぞれ前記逆方向から見たときに配線パターンが対称になるように前記第一，第二の電源線を前記２つの画素回路に配線することを特徴としている。
【０００９】
上記構成の表示装置において、画素行の画素配列方向における逆方向から見たときに、電気光学素子および駆動回路（回路素子）のレイアウト形状が対称になるように２つの画素回路を形成するとともに、配線パターンが対称になるように第一，第二の電源線を２つの画素回路に配線することで、２つの画素回路間で電源線を共用することが可能になる。そして、２つの画素回路間で電源線を共用することで、1画素列当たりの電源線の配線数が減るために、その分だけ画素回路のレイアウト面積の縮小化を図ることができる。
【発明の効果】
【００１０】
本発明によれば、画素回路のレイアウト面積を縮小できるために、多画素化を図ることができ、それに伴って高精細な表示画像を得ることができるとともに、レイアウトの対称性が失われる影響による画質劣化がないために、高画質な表示装置の実現が可能になる。
【発明を実施するための最良の形態】
【００１１】
以下、本発明の実施の形態について図面を参照して詳細に説明する。
【００１２】
図１は、本発明の一実施形態に係るアクティブマトリクス型表示装置の構成例を示すブロック図である。
【００１３】
図１に示すように、本実施形態に係るアクティブマトリクス型表示装置は、表示輝度を決定する電気光学素子を含む画素回路１０がマトリクス状（行列状）に２次元配置されてなる画素アレイ部２０と、当該画素アレイ部２０の各画素回路１０を行単位で選択走査する垂直走査回路３０と、当該垂直走査回路３０によって選択された画素行の各画素回路１０に対してデータ信号（輝度データ）ＳＩＧを書き込むデータ書き込み回路４０とを有する構成となっている。
【００１４】
画素回路１０の具体的な回路例については後述する。画素アレイ部２０の画素配列については、図面の簡略化のために３行×４列としている。この画素配列に対して、画素行ごとに例えば４本の走査線２１〜２４が配線され、画素列ごとにデータ線（信号線）２５と例えば電源電位Ｖ１，Ｖ２を供給する２本の電源線２６，２７が配線されている。
【００１５】
画素アレイ部２０は、通常、ガラス基板等の透明絶縁性基板上に形成され、平面型（フラット型）のパネル構造となっている。画素アレイ部２０の各画素回路１０は、アモルファスシリコンＴＦＴ（薄膜トランジスタ）または低温ポリシリコンＴＦＴを用いて形成することができる。低温ポリシリコンＴＦＴを用いる場合には、垂直走査回路３０およびデータ書き込み回路４０についても、画素アレイ部２０を形成するパネル上に一体的に形成することができる。
【００１６】
垂直走査回路３０は、４本の走査線２１〜２４に対応した第一〜第四垂直（Ｖ）スキャナ３１〜３４によって構成されている。第一〜第四垂直スキャナ３１〜３４は、例えばシフトレジスタなどによって構成され、それぞれ適当なタイミングで第一〜第四走査パルスＶＳＣＡＮ１〜ＶＳＣＡＮ４を出力する。第一〜第四走査パルスＶＳＣＡＮ１〜ＶＳＣＡＮ４は、走査線２１〜２４を介して画素アレイ部２０の各画素回路１０に行単位で供給される。
【００１７】
（画素回路）
図２に、画素回路１０の基本構成を示す。画素回路１０は、表示輝度を決定する電気光学素子として、例えばデバイスに流れる電流値に応じて発光輝度が変化する有機ＥＬ素子１１を有するとともに、当該有機ＥＬ素子１１を駆動する能動素子である駆動トランジスタ１２および書き込みトランジスタ１３と、例えば補正回路１４とを有する構成となっている。駆動トランジスタ１２、書き込みトランジスタ１３および補正回路１４は、有機ＥＬ素子１１を駆動する駆動回路を構成している。
【００１８】
有機ＥＬ素子１１は、カソード電極が電源電位ＶＳＳ（例えば、接地電位ＧＮＤ）に接続されている。駆動トランジスタ１２は、例えばＮチャネル型ＴＦＴからなり、電源電位ＶＤＤ（例えば、正電源電位）と有機ＥＬ素子１１のアノード電極との間に接続され、書き込みトランジスタ１３によって書き込まれたデータ信号ＳＩＧの信号電位に応じた駆動電流を有機ＥＬ素子１１に供給する。
【００１９】
書き込みトランジスタ１３は、例えばＮチャネル型ＴＦＴからなり、データ線２５と補正回路１４との間に接続され、図１の第一垂直スキャナ３１から出力される走査パルスＶＳＣＡＮ１がゲートに印加されることにより、データ信号ＳＩＧをサンプリングして画素内に書き込む。補正回路１４は、先述した２本の電源線２６，２７によって与えられる電源電位Ｖ１，Ｖ２を動作電源とし、例えば、駆動トランジスタ１２の閾値電圧Ｖｔｈや移動度μの画素ごとのバラツキを補正する。
【００２０】
なお、電源電位Ｖ１，Ｖ２としては、補正回路１４に供給される電源電位に限られる必要はなく、例えば、電源電位ＶＤＤや電源電位ＶＳＳであっても良い。
【００２１】
図３は、画素回路１０の一具体例を示す回路図である。図３に示すように、本具体例に係る画素回路１０は、有機ＥＬ素子１１、駆動トランジスタ１２および書き込みトランジスタ１３に加えて、３つのスイッチングトランジスタ１５〜１７およびキャパシタ１８を有する構成となっている。
【００２２】
スイッチングトランジスタ１５は、例えばＰチャネル型ＴＦＴからなり、ソースが電源電位ＶＤＤに接続され、ドレインが駆動トランジスタ１２のドレインに接続されており、図１の第二垂直スキャナ３２から出力される走査パルスＶＳＣＡＮ２がゲートに印加される。スイッチングトランジスタ１６は、例えばＮチャネル型ＴＦＴからなり、ドレインが駆動トランジスタ１２のソースと有機ＥＬ素子１１のアノード電極との接続ノードに接続され、ソースが電源電位Ｖｉｎｉに接続されており、図１の第三垂直スキャナ３３から出力される走査パルスＶＳＣＡＮ３がゲートに印加される。
【００２３】
スイッチングトランジスタ１７は、例えばＮチャネル型ＴＦＴからなり、ドレインが電源電位Ｖｏｆｓに接続され、ソースが書き込みトランジスタ１３のドレイン（駆動トランジスタ１２のゲート）に接続されており、図１の第四垂直スキャナ３４から出力される走査パルスＶＳＣＡＮ４がゲートに印加される。キャパシタ１８は、一端が駆動トランジスタ１２のゲートと書き込みトランジスタ１３のドレインとの接続ノードに接続され、他端が駆動トランジスタ１２のソースと有機ＥＬ素子１１のアノード電極との接続ノードに接続されている。
【００２４】
ここで、スイッチングトランジスタ１６，１７およびキャパシタ１８は、図３の補正回路１４、即ち駆動トランジスタ１２の閾値電圧Ｖｔｈや移動度μの画素ごとのバラツキを補正する回路を構成している。この補正回路１４に対して、電源線２６，２７によって電源電位Ｖ１，Ｖ２が供給される。そして、電源電位Ｖｉｎｉとして、電源電位Ｖ２（または、電源電位Ｖ１）が用いられ、電源電位Ｖｏｆｓとして、電源電位Ｖ１（または、電源電位Ｖ２）が用いられる。
【００２５】
図３に示す一具体例では、駆動トランジスタ１２、書き込みトランジスタ１３およびスイッチングトランジスタ１６，１７としてＮチャネル型ＴＦＴを用い、スイッチングトランジスタ１５としてＰチャネル型ＴＦＴを用いるとしたが、ここでの駆動トランジスタ１２、書き込みトランジスタ１３およびスイッチングトランジスタ１５〜１７の導電型の組み合わせは一例に過ぎず、これらの組み合わせに限られるものではない。
【００２６】
上述した接続関係にて各構成素子が接続されてなる画素回路１０において、各構成素子は次のような作用をなす。すなわち、書き込みトランジスタ１３は、導通状態となることにより、データ線２５を通して供給されるデータ信号ＳＩＧの信号電圧Ｖｓｉｇ（＝Ｖｏｆｓ＋Ｖｄａｔａ；Ｖｄａｔａ＞０）をサンプリングする。このサンプリングされた信号電圧Ｖｓｉｇは、キャパシタ１８に保持される。スイッチングトランジスタ１５は、導通状態になることにより、電源電位ＶＤＤから駆動トランジスタ１２に電流を供給する。
【００２７】
駆動トランジスタ１２は、スイッチングトランジスタ１５が導通状態にあるときに、キャパシタ１８に保持された信号電圧Ｖｓｉｇに応じた電流値を有機ＥＬ素子１１に供給することによって当該有機ＥＬ素子１１を駆動する（電流駆動）。スイッチングトランジスタ１６，１７は、適宜導通状態になることにより、有機ＥＬ素子１１の電流駆動に先立って駆動トランジスタ１２の閾値電圧Ｖｔｈを検知し、あらかじめその影響をキャンセルするために当該検知した閾値電圧Ｖｔｈをキャパシタ１８に保持する。
【００２８】
この画素回路１０では、正常な動作を保証するための条件として、第３電源電位Ｖｉｎｉは、第四電源電位Ｖｏｆｓから駆動トランジスタ１２の閾値電圧Ｖｔｈを差し引いた電位よりも低くなるように設定されている。すなわち、Ｖｉｎｉ＜Ｖｏｆｓ−Ｖｔｈのレベル関係となっている。また、有機ＥＬ素子１１のカソード電位Ｖｃａｔ（ここでは、接地電位ＧＮＤ）に有機ＥＬ素子１１の閾値電圧Ｖｔｈｅｌを加えたレベルは、第四電源電位Ｖｏｆｓから駆動トランジスタ１２の閾値電圧Ｖｔｈを差し引いたレベルよりも高くなるように設定されている。すなわち、Ｖｃａｔ＋Ｖｔｈｅｌ＞Ｖｏｆｓ−Ｖｔｈ（＞Ｖｉｎｉ）のレベル関係となっている。
【００２９】
続いて、上記構成の画素回路１０をマトリクス状に２次元配置してなるアクティブマトリクス型表示装置の回路動作について、図４のタイミング波形図を用いて説明する。図４のタイミング波形図では、時刻ｔ１から時刻ｔ９までの期間を１フィールド期間としている。この１フィールド期間に画素アレイ部２０の各画素行が１回ずつ順次走査されることになる。
【００３０】
図４には、あるｉ行目の画素回路１０を駆動する際に、第一〜第四垂直スキャナ３１〜３４から第一〜第四走査線２１〜２４を介して画素回路１０に与えられる走査パルスＶＳＣＡＮ１〜ＶＳＣＡＮ４のタイミング関係および駆動トランジスタ１２のゲート電位Ｖｇおよびソース電位Ｖｓの変化をそれぞれ示している。
【００３１】
ここで、書き込みトランジスタ１３およびスイッチングトランジスタ１６，１７がＮチャネル型であるために、第一走査パルスＶＳＣＡＮ１および第三,第四走査パルスＶＳＣＡＮ３，ＳＣＡＮ４については、高レベル（本例では、電源電位ＶＤＤ；以下、「“Ｈ”レベル」と記述する）の状態をアクティブ状態とし、低レベル（本例では、電源電位ＶＳＳ（ＧＮＤレベル）；以下、「“Ｌ”レベル」と記述する）の状態を非アクティブ状態とする。また、スイッチングトランジスタ１５がＰチャネル型であるために、第二走査パルスＶＳＣＡＮ２については、“Ｌ”レベルの状態をアクティブ状態とし、“Ｈ”レベルの状態を非アクティブ状態とする。
【００３２】
（発光期間）
先ず、通常の発光期間（ｔ７〜ｔ８）においては、第一垂直スキャナ３１から出力される第一走査パルスＶＳＣＡＮ１、第二垂直スキャナ３２から出力される第二走査パルスＶＳＣＡＮ２および第三，第四垂直スキャナ３３，３４から出力される第三,第四走査パルスＶＳＣＡＮ３，ＳＣＡＮ４が共に“Ｌ”レベルにあるために、書き込みトランジスタ１３およびスイッチングトランジスタ１６，１７は非導通（オフ）状態にあり、スイッチングトランジスタ１５が導通（オン）状態にある。
【００３３】
このとき、駆動トランジスタ１２は、飽和領域で動作するように設計されているために定電流源として動作する。その結果、スイッチングトランジスタ１５を通して駆動トランジスタ１２から、有機ＥＬ素子１１に対して次式（１）で与えられる一定のドレイン・ソース間電流Ｉｄｓが供給される。
Ｉｄｓ＝（１／２）・μ（Ｗ／Ｌ）Ｃｏｘ（Ｖｇｓ−Ｖｔｈ）2     …（１）
ここで、Ｖｔｈは駆動トランジスタ１２の閾値電圧、μはキャリアの移動度、Ｗはチャネル幅、Ｌはチャネル長、Ｃｏｘは単位面積当たりのゲート容量、Ｖｇｓはゲート・ソース間電圧である。
【００３４】
そして、時刻ｔ８で第二走査パルスＶＳＣＡＮ２が“Ｌ”レベルから“Ｈ”レベルに遷移することで、スイッチングトランジスタ１５が非導通となり、駆動トランジスタ１２への電源電位ＶＤＤからの電流供給が遮断されるため、有機ＥＬ素子１１の発光が停止し、非発光期間に入る。
【００３５】
（閾値補正準備期間）
スイッチングトランジスタ１５の非導通状態において、時刻ｔ１（ｔ９）で第三，第四垂直スキャナ３３，３４から出力される第三,第四走査パルスＶＳＣＡＮ３，ＳＣＡＮ４が共に“Ｌ”レベルから“Ｈ”レベルに遷移することで、スイッチングトランジスタ１６，１７が導通状態となり、後述する駆動トランジスタ１２の閾値電圧Ｖｔｈのバラツキを補正（キャンセル）するための閾値補正準備期間に入る。
【００３６】
スイッチングトランジスタ１６，１７は、どちらが先に導通状態になっても良い。スイッチングトランジスタ１６，１７が導通状態となることにより、駆動トランジスタ１２のゲートにはスイッチングトランジスタ１７を介して電源電位Ｖｏｆｓが印加され、駆動トランジスタ１２のソース（有機ＥＬ素子１１のアノード電極）にはスイッチングトランジスタ１６を介して電源電位Ｖｉｎｉが印加される。
【００３７】
このとき、先述したように、Ｖｉｎｉ＜Ｖｃａｔ＋Ｖｔｈｅｌのレベル関係にあるために、有機ＥＬ素子１１は逆バイアス状態となる。したがって、有機ＥＬ素子１１には電流が流れず、非発光状態にある。また、駆動トランジスタ１２は、そのゲート・ソース間電圧ＶｇｓがＶｏｆｓ−Ｖｉｎｉという値をとる。ここで、先述したように、Ｖｏｆｓ−Ｖｉｎｉ＞Ｖｔｈのレベル関係を満たしている。
【００３８】
時刻ｔ２で第三垂直スキャナ３３から出力される第三走査パルスＶＳＣＡＮ３が“Ｈ”レベルから“Ｌ”レベルに遷移することで、スイッチングトランジスタ１６が非導通状態となって、閾値補正準備期間が終了する。
【００３９】
（閾値補正期間）
その後、時刻ｔ３で第二垂直スキャナ３２から出力される第二走査パルスＶＳＣＡＮ２が“Ｈ”レベルから“Ｌ”レベルに遷移することで、スイッチングトランジスタ１５が導通状態となる。スイッチングトランジスタ１５が導通状態となることで、電源電位ＶＤＤ→スイッチングトランジスタ１５→キャパシタ１８→スイッチングトランジスタ１７→電源電位Ｖｏｆｓの経路で電流が流れる。
【００４０】
このとき、駆動トランジスタ１２のゲート電位Ｖｇが電源電位Ｖｏｆｓに保持されており、駆動トランジスタ１２がカットオフするまで（導通状態から非導通状態になるまで）上記の経路で電流が流れ続ける。このとき、駆動トランジスタ１２のソース電位Ｖｓは、電源電位Ｖｉｎｉから時間の経過とともに徐々に上昇する。
【００４１】
そして、一定時間が経過し、駆動トランジスタ１２のゲート・ソース間電圧Ｖｇｓが、駆動トランジスタ１２の閾値電圧Ｖｔｈになったところで、駆動トランジスタ１２がカットオフする。この駆動トランジスタ１２のゲート−ソース間の電位差Ｖｔｈは、閾値補正用の電位としてキャパシタ１８に保持される。このとき、Ｖｅｌ＝Ｖｏｆｓ−Ｖｔｈ＜Ｖｃａｔ＋Ｖｔｈｅｌとなっている。
【００４２】
その後、時刻ｔ４で第二垂直スキャナ３２から出力される第二走査パルスＶＳＣＡＮ２が“Ｌ”レベルから“Ｈ”レベルに遷移し、第四垂直スキャン３４から出力される第四走査パルスＶＳＣＡＮ４が“Ｈ”レベルから“Ｌ”レベルに遷移することで、スイッチングトランジスタ１５，１７が非導通状態になる。この時刻ｔ３から時刻ｔ４までの期間が駆動トランジスタ１２の閾値電圧Ｖｔｈを検出する期間である。ここでは、この検出期間ｔ３−ｔ４を閾値補正期間と呼んでいる。
【００４３】
スイッチングトランジスタ１５，１７が非導通状態になることで（時刻ｔ４）、閾値補正期間の終了となる訳であるが、このとき、スイッチングトランジスタ１５がスイッチングトランジスタ１７よりも先に非導通状態になることで、駆動トランジスタ１２のゲート電位Ｖｇの変動を抑えることが可能となる。
【００４４】
（書き込み期間）
その後、時刻ｔ５で第一垂直スキャナ３１から出力される第一走査パルスＶＳＣＡＮ１が“Ｌ”レベルから“Ｈ”レベルに遷移することで、書き込みトランジスタ１３が導通状態となり、入力信号電圧Ｖｓｉｇの書き込み期間に入る。この書き込み期間では、入力信号電圧Ｖｓｉｇが書き込みトランジスタ１３によってサンプリングされ、キャパシタ１８に書き込まれる。
【００４５】
有機ＥＬ素子１１は容量成分を持っている。ここで、有機ＥＬ素子１１の容量成分の容量値をＣｏｌｅｄとし、キャパシタ１８の容量値をＣｓ、駆動トランジスタ１２の寄生容量の容量値をＣｐとすると、駆動トランジスタ１２のゲート・ソース間電圧Ｖｇｓは、次式（２）のように決定される。
Ｖｇｓ＝｛Ｃｏｌｅｄ／（Ｃｏｌｅｄ＋Ｃｓ＋Ｃｐ）｝
・（Ｖｓｉｇ−Ｖｏｆｓ）＋Ｖｔｈ  ……（２）
【００４６】
一般に、有機ＥＬ素子１１の容量成分の容量値Ｃｏｌｅｄは、キャパシタ１８の容量値Ｃｓおよび駆動トランジスタ１２の寄生容量値Ｃｐに比べて十分に大きい。したがって、駆動トランジスタ１２のゲート・ソース間電圧Ｖｇｓはほぼ（Ｖｓｉｇ−Ｖｏｆｓ）＋Ｖｔｈとなる。また、キャパシタ１８の容量値Ｃｓが有機ＥＬ素子１１の容量成分の容量値Ｃｏｌｅｄに比べて十分に小さいため、信号電圧Ｖｓｉｇの大部分がキャパシタ１８に書き込まれる。正確には、信号電圧Ｖｓｉｇと駆動トランジスタ１２のソース電位Ｖｓ、即ち電源電位Ｖｉｎｉとの差分Ｖｓｉｇ−Ｖｉｎｉがデータ電圧Ｖｄａｔａとして書き込まれる。
【００４７】
このとき、データ電圧Ｖｄａｔａ（＝Ｖｓｉｇ−Ｖｉｎｉ）は、キャパシタ１８に保持されている閾値電圧Ｖｔｈに足し込まれる形で当該キャパシタ１８に保持される。すなわち、キャパシタ１８の保持電圧、即ち駆動トランジスタ１２のゲート・ソース間電圧Ｖｇｓは、Ｖｓｉｇ−Ｖｉｎｉ＋Ｖｔｈとなる。以降説明の簡略化のために、Ｖｉｎｉ＝０Ｖとすると、ゲート・ソース間電圧Ｖｇｓは、Ｖｓｉｇ＋Ｖｔｈとなる。このように、キャパシタ１８にあらかじめ閾値電圧Ｖｔｈを保持しておくことで、後述するように、閾値電圧Ｖｔｈのバラツキや経時変化を補正することが可能になる。
【００４８】
すなわち、キャパシタ１８にあらかじめ閾値電圧Ｖｔｈを保持しておくことで、信号電圧Ｖｓｉｇによる駆動トランジスタ１２の駆動の際に、当該駆動トランジスタ１２の閾値電圧Ｖｔｈがキャパシタ１８に保持した閾値電圧Ｖｔｈと相殺される、換言すれば、閾値電圧Ｖｔｈの補正が行われるために、画素ごとに閾値電圧Ｖｔｈにバラツキや経時変化があったとしても、それらの影響を受けることなく、有機ＥＬ素子１１の発光輝度を一定に保つことができることになる。
【００４９】
（移動度補正期間）
第一走査パルスＶＳＣＡＮ１が“Ｈ”レベルにある状態において、時刻ｔ６で第二垂直スキャナ３２から出力される第二走査パルスＶＳＣＡＮ２が“Ｈ”レベルから“Ｌ”レベルに遷移し、スイッチングトランジスタ１５が導通状態になることで、データ書き込み期間が終了し、駆動トランジスタ１２の移動度μのバラツキを補正する移動度補正期間に入る。この移動度補正期間は、第一走査パルスＶＳＣＡＮ１のアクティブ期間（“Ｈ”レベル期間）と第二走査パルスＶＳＣＡＮ２のアクティブ期間（“Ｈ”レベル期間）とがオーバーラップする期間となる。
【００５０】
スイッチングトランジスタ１５が導通状態になることで、電源電位ＶＤＤから駆動トランジスタ１２への電流供給が開始されるために、画素回路１０は非発光期間から発光期間に入る。このように、書き込みトランジスタ１３がまだ導通状態にある期間、即ちサンプリング期間の後部分と発光期間の先頭部分とが重なる期間ｔ６−ｔ７において、駆動トランジスタ１２のドレイン・ソース間電流Ｉｄｓの移動度μに対する依存性を打ち消す移動度補正を行うことになる。
【００５１】
なお、この移動度補正を行う発光期間の先頭部分ｔ６−ｔ７では、駆動トランジスタ１２のゲート電位Ｖｇが信号電圧Ｖｓｉｇに固定された状態で、駆動トランジスタ１２にドレイン・ソース間電流Ｉｄｓが流れる。ここで、Ｖｏｆｓ−Ｖｔｈ＜Ｖｔｈｅｌと設定しておくことで、有機ＥＬ素子１１が逆バイアス状態におかれるために、画素回路１０が発光期間に入っていても、有機ＥＬ素子１１が発光することはない。
【００５２】
移動度補正期間ｔ６−ｔ７では、有機ＥＬ素子１１が逆バイアス状態にあることで、当該有機ＥＬ素子１１はダイオード特性ではなく単純な容量特性を示すようになる。したがって、駆動トランジスタ１２に流れるドレイン・ソース間電流Ｉｄｓは、キャパシタ１８の容量値Ｃｓと有機ＥＬ素子１１の容量成分の容量値Ｃｏｌｅｄとを合成した容量Ｃ（＝Ｃｓ＋Ｃｏｌｅｄ）に書き込まれていく。この書き込みにより、駆動トランジスタ１２のソース電位Ｖｓが上昇していく。図４のタイミングチャートでは、ソース電位Ｖｓの上昇分をΔＶで表している。
【００５３】
このソース電位Ｖｓの上昇分ΔＶは、結局、キャパシタ１８に保持された駆動トランジスタ１２のゲート・ソース間電圧Ｖｇｓから差し引かれるように、換言すれば、キャパシタ１８の充電電荷を放電するように作用することになるので、負帰還をかけられたことになる。すなわち、ソース電位Ｖｓの上昇分ΔＶは負帰還の帰還量となる。このとき、ゲート・ソース間電圧Ｖｇｓは、Ｖｓｉｇ−ΔＶ＋Ｖｔｈとなる。このように、駆動トランジスタ１２に流れるドレイン・ソース間電流Ｉｄｓを当該駆動トランジスタ１２のゲート入力、即ちゲート・ソース間電圧Ｖｇｓに負帰還することで、駆動トランジスタ１２の移動度μのバラツキを補正することが可能になる。
【００５４】
（発光期間）
その後、時刻ｔ７で第一垂直スキャナ３１から出力される第一走査パルスＶＳＣＡＮ１が“Ｌ”レベルになり、書き込みトランジスタ１３が非導通状態になることで、移動度補正期間が終了し、発光期間に入る。この結果、駆動トランジスタ１２のゲートがデータ線２５から切り離され、信号電圧Ｖｓｉｇの印加が解除されるために、駆動トランジスタ１２のゲート電位Ｖｇが上昇可能となり、ソース電位Ｖｓと共に上昇していく。その間、キャパシタ１８に保持されたゲート・ソース間電圧Ｖｇｓは、Ｖｓｉｇ−ΔＶ＋Ｖｔｈの値を維持する。
【００５５】
そして、駆動トランジスタ１２のソース電位Ｖｓの上昇に伴い、有機ＥＬ素子１１の逆バイアス状態が解消されるので、駆動トランジスタ１２からのドレイン・ソース間電流Ｉｄｓの流入により、有機ＥＬ素子１１は実際に発光を開始する。
【００５６】
このときのドレイン・ソース間電流Ｉｄｓ対ゲート・ソース間電圧Ｖｇｓの関係は、先述した式（１）のＶｇｓにＶｓｉｇ−ΔＶ＋Ｖｔｈを代入することで、次式（３）で与えられる。
Ｉｄｓ＝ｋμ（Ｖｇｓ−Ｖｔｈ）2 
＝ｋμ（Ｖｓｉｇ−ΔＶ）2                             ……（３）
上記の式（３）において、ｋ＝（１／２）（Ｗ／Ｌ）Ｃｏｘである。
【００５７】
この式（３）から明らかなように、駆動トランジスタ１２の閾値電圧Ｖｔｈの項がキャンセルされており、駆動トランジスタ１２から有機ＥＬ素子１１に供給されるドレイン・ソース間電流Ｉｄｓは、駆動トランジスタ１２の閾値電圧Ｖｔｈに依存しないことが分かる。基本的に、ドレイン・ソース間電流Ｉｄｓは入力信号電圧Ｖｓｉｇによって決まる。換言すると、有機ＥＬ素子１１は、駆動トランジスタ１２の閾値電圧Ｖｔｈのバラツキや経時変化の影響を受けることなく、入力信号電圧Ｖｓｉｇに応じた輝度で発光する。
【００５８】
また、上記の式（３）から明らかなように、入力信号電圧Ｖｓｉｇは、ドレイン・ソース間電流Ｉｄｓの駆動トランジスタ１２のゲート入力への負帰還によって帰還量ΔＶで補正されている。この帰還量ΔＶは、式（３）の係数部に位置する移動度μの効果を打ち消すように作用する。したがって、ドレイン・ソース間電流Ｉｄｓは、実質的に、入力信号電圧Ｖｓｉｇのみに依存することになる。すなわち、有機ＥＬ素子１１は、駆動トランジスタ１２の閾値電圧Ｖｔｈのみならず、駆動トランジスタ１２の移動度μのバラツキや経時変化の影響を受けることなく、入力信号電圧Ｖｓｉｇに応じた輝度で発光する。その結果、スジや輝度ムラのない均一な画質を得ることができる。
【００５９】
最後に、時刻ｔ８で第二垂直スキャナ３２から出力される第二走査パルスＶＳＣＡＮ２が“Ｌ”レベルから“Ｈ”レベルに遷移し、スイッチングトランジスタ１５が非導通状態になることで、電源ＶＤＤからの駆動トランジスタ１２への電流供給が遮断され、発光期間が終了する。その後、時刻ｔ９（ｔ１）で次のフィールドに移って再び閾値補正、移動度補正および発光動作の一連の動作が繰り返して実行されることになる。
【００６０】
ここで、電流駆動型の電気光学素子である有機ＥＬ素子１１を含む画素回路１０がマトリクス状に配置されてなるアクティブマトリクス型表示装置においては、有機ＥＬ素子１１の発光時間が長くなると、当該有機ＥＬ素子１１のＩ−Ｖ特性が変化してしまう。それがために、有機ＥＬ素子１１のアノード電極と駆動トランジスタ１２のソースとの接続ノードの電位も変化する。
【００６１】
これに対して、本実施形態に係るアクティブマトリクス型表示装置では、駆動トランジスタ１２のゲート・ソース間電位Ｖｇｓが一定値に保たれているために、有機ＥＬ素子１１に流れる電流は変化しない。したがって、有機ＥＬ素子１１のＩ−Ｖ特性が劣化したとしても、一定のドレイン・ソース間電流Ｉｄｓが有機ＥＬ素子１１に流れ続けるために、有機ＥＬ素子１１の発光輝度が変化することはない（有機ＥＬ素子１１の特性変動に対する補償機能）。
【００６２】
また、入力信号電圧Ｖｓｉｇが書き込まれる前に駆動トランジスタ１２の閾値電圧Ｖｔｈをあらかじめキャパシタ１８に保持しておくことで、駆動トランジスタ１２の閾値電圧Ｖｔｈをキャンセル（補正）し、当該閾値電圧Ｖｔｈの画素ごとのバラツキや経時変化の影響を受けない一定のドレイン・ソース間電流Ｉｄｓを有機ＥＬ素子１１に流すことができるために、高画質の表示画像を得ることができる（駆動トランジスタ１２のＶｔｈ変動に対する補償機能）。
【００６３】
さらに、移動度補正期間ｔ６−ｔ７において、ドレイン・ソース間電流Ｉｄｓを駆動トランジスタ１２のゲート入力へ負帰還し、その帰還量ΔＶによって入力信号電圧Ｖｓｉｇを補正することで、駆動トランジスタ１２のドレイン・ソース間電流Ｉｄｓの移動度μに対する依存性を打ち消し、入力信号電圧Ｖｓｉｇのみに依存するドレイン・ソース間電流Ｉｄｓを有機ＥＬ素子１１に流すことができるために、駆動トランジスタ１２の移動度μの画素ごとのバラツキや経時変化に起因するスジや輝度ムラのない均一な画質の表示画像を得ることができる（駆動トランジスタ１２の移動度μに対する補償機能）。
【００６４】
［画素回路のレイアウト］
ここで、本発明の特徴とする画素回路１０のレイアウトについて説明する。
【００６５】
（実施例１）
先ず、有機ＥＬ素子１１がＲ（赤），Ｇ（緑），Ｂ（青）の各光を発光するカラー表示装置において、各色の光を発光する有機ＥＬ素子１１を含む画素回路１０が、同一色がストライプ状に並ぶストライプ配列の場合について実施例１として説明する。
【００６６】
先ず、図１に示すように、画素回路１０の各々に対しては、走査線２１〜２４が画素行の画素の配列方向に沿って配線され、データ線２５が画素列の画素の配列方向に沿って配線されるとともに、電源電位ＶＤＤを供給する電源線（図示せず）や、電源電位Ｖ１，Ｖ２を供給する電源線２６，２７等の複数の電源線が画素列の画素の配列方向に沿って配線される。
【００６７】
そして、データ線２５については、図１に示すように、同一の画素行において左右に隣接する２つの画素回路１０，１０を対として、これら２つの画素回路１０，１０の両側に各画素回路１０，１０に対応した２本のデータ線２５，２５が配線される。図１における１行目の１列目、２列目の画素回路１０（１，１），１０（１，２）に着目とすると、図５に示すように、画素回路１０（１，１），１０（１，２）の一方側に１列目のデータ線２５−１が、他方側に２列目のデータ線２５−２がそれぞれ配線される。
【００６８】
このように、画素回路１０（１，１），１０（１，２）を対としてそれらの両側にデータ線２５−１，２５−２を配線することにより、図５から明らかなように、有機ＥＬ素子１１、駆動トランジスタ１２、書き込みトランジスタ１３および補正回路１４は、必然的に、画素回路１０（１，１），１０（１，２）の境界線Ｏを基準として左右対称のレイアウト形状となる。
【００６９】
その結果、３行４列のストライプ配列の画素アレイ部２０における各画素回路１０のレイアウト形状は、図６に示すように、隣り合う２つの画素列を単位（対）として当該単位ごとに左右対称となる。なお、図６では、理解を容易にするために、画素回路１０のレイアウト形状を簡易的に“Ｆ”の文字を用いて表している。
【００７０】
一方、複数の電源線のうち、電源の電流容量が略等しい２本の電源線、例えば電源電位Ｖ１，Ｖ２を供給する電源線２６，２７については、図７に示すように、一方の電源線２６を一方の画素回路１０（１，１），１０（１，３）の各画素列（奇数番目の画素列）に配線し、他方の電源線２７を他方の画素回路１０（１，２），１０（１，４）の各画素列（偶数番目の画素列）に配線する。このとき、電源線２６と電源線２７との各配線パターンを、奇数番目の画素と偶数番目の画素列との境界線Ｏを基準として左右対称にレイアウトするとともに、電源線２６と電源線２７とを奇数番目の画素と偶数番目の画素列との各画素回路１０で共用するようにする。
【００７１】
ここで、画素回路１０のレイアウト形状および電源線２６，２７の配線パターンの「左右対称」とは、左右のレイアウト形状および配線パターンが完全に一致する完全対称だけでなく、次のような場合も含むものとする。
【００７２】
すなわち、画素回路１０は、駆動する色（ＲＧＢ）によって画素定数などが異なることがあり、それに伴ってトランジスタ１２〜１７やキャパシタ１８のサイズが異なることがあるために、トランジスタ１２〜１７やキャパシタ１８のサイズで決まる画素回路１０のレイアウト形状が完全に左右対称にならない場合もある。また、電源線２６，２７の各配線やその配線に付随するコンタクトホール２８，２９などについては、電源電位Ｖ１，Ｖ２の供給先の回路が異なることから、配線パターンが完全に左右対称にならない場合もある。このような場合も、「左右対称」の概念に含まれるものとする。
【００７３】
ここで、対となる画素回路１０（１，１），１０（１，２）に着目すると、図７から明らかなように、電源線２６，２７の配線のコンタクトホール２８，２９部分で左右の対称性が若干崩れているが、次の理由１），２）により、実用上、電気的には、左右対称のレイアウト形状である場合と同等に扱うことができる。
【００７４】
１）対称性が崩れているのが電源線２６，２７であり、走査線２１〜２４やデータ線２５と比較して、電圧の飛び込みの影響が小さいためである。
２）電源線２６，２７の各配線パターンを左右対称にレイアウトすることで、一方の画素回路（１，１）において回路素子と電源線２６との間に寄生容量Ｃｐ１が存在するとき、レイアウトが略対称な他方の画素回路（１，２）において回路素子と電源線２７との間に存在する寄生容量Ｃｐ２が寄生容量Ｃｐ１とほぼ同じになるためである。
【００７５】
なお、ここでは、複数の電源線のうち、電源線２６，２７のレイアウトについて述べたが、電源電位ＶＤＤを供給する電源線については、駆動トランジスタ１２に対して有機ＥＬ素子１１を駆動する電流を供給する電源線であることから、その配線が電源線２６，２７の配線に比べて太くなる。この電源電位ＶＤＤを供給する電源線の配線については、例えば、奇数番目の画素と偶数番目の画素列との境界線Ｏ上にレイアウトすることにより、対となる画素回路１０（１，１），１０（１，２）のレイアウトの対称性を保つことができる。
【００７６】
上述したように、Ｒ，Ｇ，Ｂの各色の光を発光する有機ＥＬ素子１１を含む画素回路１０がストライプ配列されてなる有機ＥＬ表示装置において、同一の画素行で左右に隣接する２つの画素回路１０，１０を対とし、これら２つの画素回路１０，１０をそれぞれ画素行の画素配列方向（図の左右方向）における逆方向（左側の画素回路については右方向、右側の画素回路については左方向）から見たときに、有機ＥＬ素子１１および回路素子（１２〜１８）のレイアウト形状が対称になるように２つの画素回路１０，１０を形成するとともに、配線パターンが対称になるように電源線２６，２７を２つの画素回路１０，１０に配線することで、対となる２つの画素回路１０，１０間で電源線２６，２７を共用することが可能になる。
【００７７】
そして、２つの画素回路１０，１０間で電源線２６，２７を共用する、具体的には、電源線２６を一方の画素回路に、電源線２７を他方の電源回路にそれぞれ配線し、これら電源線２６，２７を２つの画素回路１０，１０で共用することで、１画素列当たり（１つの画素回路１０当たり）の電源線の配線数を１本削減できるために、その分だけ画素回路１０のレイアウト面積を縮小できる。これにより、多画素化を図ることができるために、高精細な表示画像を得ることができる。また、有機ＥＬ素子１１および回路素子（１２〜１８）のレイアウト形状が２つの画素回路１０，１０間で対称であることで、レイアウトの対称性が失われる影響による画質劣化がないために、高画質な有機ＥＬ表示装置の実現が可能になる。
【００７８】
（実施例２）
次に、カラー表示装置において、Ｒ，Ｇ，Ｂの各色の光を発光する有機ＥＬ素子１１を含む画素回路１０が、隣り合う画素行が１／２画素ピッチだけずれ、Ｒ，Ｇ，Ｂの各色が三角形に並ぶデルタ配列の場合について実施例２として説明する。
【００７９】
画素アレイ部２０の各画素回路１０がデルタ配列の場合には、図８に示すように、上下に隣接する２つの画素行間で画素回路のレイアウト形状を逆向きとする。なお、図８においても、理解を容易にするために、図６と同様に、画素回路１０のレイアウト形状を簡易的に“Ｆ”の文字を用いて表している。
【００８０】
そして、上下に隣接する２つの画素行間において斜めに隣接する２つの画素回路、具体的にはＲの画素回路とＢの画素回路、Ｇの画素回路とＲの画素回路、Ｂの画素回路とＧの画素回路をそれぞれ対としたとき、電源電位Ｖ１，Ｖ２を供給する電源線２６，２７については、２つの画素回路をそれぞれ画素行の画素配列方向（図の左右方向）における逆方向から見たときに配線パターンの位置が逆になるように２つの画素回路の双方に配線するようにする。
【００８１】
具体的には、図９に示すように、上下に隣接する２つの画素行間において斜めに隣接する２つの画素回路１０Ａ，１０Ｂを対としたとき、画素回路１０Ａについては、図の右方向から見たときに配線パターンの位置が電源線２７、電源線２６の順に並ぶように配線するのに対して、画素回路１０Ｂについては、図の左方向から見たときに配線パターンの位置が電源線２６、電源線２７の順に並ぶように配線する。
【００８２】
このように、Ｒ，Ｇ，Ｂの各色の光を発光する有機ＥＬ素子１１を含む画素回路１０がデルタ配列されてなる有機ＥＬ表示装置において、上下に隣接する２つの画素行間で斜めに隣接する２つの画素回路１０Ａ，１０Ｂを対とし、２つの画素回路１０Ａ，１０Ｂをそれぞれ画素行の画素配列方向（図の左右方向）における逆方向（上側の画素行の画素回路１０Ａについては右方向、下側の画素行の画素回路１０Ｂについては左方向）から見たときに、有機ＥＬ素子１１および回路素子（１２〜１８）のレイアウト形状が対称になるように２つの画素回路１０Ａ，１０Ｂを形成するとともに、配線パターンが対称になるように、しかも配線パターンの位置が逆になるように電源線２６，２７を２つの画素回路１０Ａ，１０Ｂの双方に配線することで、２つの画素回路１０Ａ，１０Ｂ間で電源線２６，２７の各配線パターンを入れ替える必要がないために、少ないコンタクトホール数や配線数で画素回路１０を形成することができる。
【００８３】
因みに、２つの画素回路１０Ａ，１０Ｂ間において、画素行の画素配列方向（図の左右方向）における逆方向から見たときに、有機ＥＬ素子１１および回路素子のレイアウト形状が対称で、かつ、電源線２６，２７の配線パターンが対称であったとしても、図１０に示すように、上記逆方向から見たときの電源線２６，２７の配線パターンの位置が同じであると、２つの画素回路１０Ａ，１０Ｂ間で電源線２６，２７の各配線パターンを入れ替える必要があるために、その入れ替えのためのコンタクトホール５１，５２および配線５３が画素回路１０ごとに必要になり、その分だけ画素回路１０のレイアウト面積が大きくなる。
【００８４】
これに対して、上記逆方向から見たときの配線パターンの位置が逆になるように電源線２６，２７を２つの画素回路１０Ａ，１０Ｂの双方に配線することで、配線パターンの入れ替えのためのコンタクトホール５１，５２および配線５３が不要になるために、その分だけ画素回路１０のレイアウト面積の縮小化を図ることができる。これにより、ストライプ配列の場合と同様に、高精細な表示画像を得ることができるとともに、レイアウトの対称性が失われる影響による画質劣化がないために、高画質な有機ＥＬ表示装置の実現が可能になる。
【００８５】
［画素容量のレイアウト］
続いて、画素回路１０内に設けられる画素容量のレイアウトについて説明する。ここでは、画素容量Ｃｐｉｘとして、図１１に示すように、画素回路１０内の信号線の部位（以下、「ノードＡ」と記述する）、例えば有機ＥＬ素子１１のアノード電極に一端が、直流電源の電源電位Ｖｄｃに他端が接続されたキャパシタＣｓｕｂを例に挙げて説明するものとする。
【００８６】
先述したように、有機ＥＬ素子１１は容量Ｃｏｌｅｄを持っている。この容量Ｃｏｌｅｄの容量値はデバイス構造で決まり、Ｒ，Ｇ，Ｂで異なる。画素回路１０の各々で有機ＥＬ素子１１の駆動条件を同じにするためには画素回路１０間で容量Ｃｏｌｅｄの容量値を等しくする必要があり、その目的で、キャパシタＣｓｕｂが設けられている。
【００８７】
すなわち、カソード電極が直流電源の電源電位ＶＳＳに接続された有機ＥＬ素子１１に対して、キャパシタＣｓｕｂの一端を有機ＥＬ素子１１のアノード電極に、他端を電源電位Ｖｄｃにそれぞれ接続することで、有機ＥＬ素子１１の容量Ｃｏｌｅｄに対してキャパシタＣｓｕｂを並列に接続する。そして、キャパシタＣｓｕｂをＲ，Ｇ，Ｂごとに適当な容量値に設定することで、容量Ｃｏｌｅｄの容量値を画素回路１０間で等価的に等しくすることができる。
【００８８】
このキャパシタＣｓｕｂに代表される画素容量Ｃｐｉｘを画素回路１０内にレイアウトする際のレイアウト方法について、以下に実施例３，４として説明する。
【００８９】
（実施例３）
実施例３は、先述した実施例１のストライプ配列において、同一の画素行で左右に隣接する２つの画素回路１０，１０を対とし、これら２つの画素回路１０，１０をそれぞれ画素行の画素配列方向における逆方向から見たときに、有機ＥＬ素子１１および回路素子のレイアウト形状が対称になるように２つの画素回路１０，１０を形成するとともに、配線パターンが対称になるように電源線２６，２７を２つの画素回路１０，１０に配線したレイアウト構造を前提としている。
【００９０】
そして、図１２に示すように、画素容量Ｃｐｉｘ、例えばキャパシタＣｓｕｂを画素回路１０内にレイアウトするに当たって、その一端を画素回路１０の各々においてノードＡに接続しているのに対して、左右で対となる２つの画素回路の一方においてはキャパシタＣｓｕｂの他端を電源線２６に、他方においてはキャパシタＣｓｕｂの他端を電源線２７にそれぞれ接続したレイアウト構造とする。
【００９１】
ここで、電源線２６，２７は共に直流電源である電源電位Ｖ１，Ｖ２を供給する電源線である。したがって、電源線２６，２７に各他端が接続されたキャパシタＣｓｕｂを各一端側から見たときに等価に見える。すなわち、一方の画素回路のキャパシタＣｓｕｂがノードＡと電源線２６との間に接続され、一方の画素回路のキャパシタＣｓｕｂがノードＡと電源線２７との間に接続されていても共に、有機ＥＬ素子１１の容量Ｃｏｌｅｄに対して並列に接続されていることになる。
【００９２】
そして、例えば、キャパシタＣｓｕｂを形成する電極のサイズをＲ，Ｇ，Ｂで適宜変更し、キャパシタＣｓｕｂの容量値を設定することにより、有機ＥＬ素子１１の容量（容量値）Ｃｏｌｅｄを、対となる２つの画素回路１０，１０間で等価的に等しくすることができる。なお、先述したように、キャパシタＣｓｕｂの容量値の違いに伴うサイズ（形状）の違いは、レイアウト形状の「左右対称」の概念に含まれるものとする。
【００９３】
因みに、実施例１のストライプ配列のレイアウト構造において、２つの画素回路１０，１０のいずれの場合にもキャパシタＣｓｕｂの他端を同じ電源線２６（または、電源線２７）に接続するようにした場合は、図１３に示すように、２つの画素回路１０，１０間で電源線２６（または、電源線２７）の配線パターンを入れ替える必要があるために、その入れ替えのためのコンタクトホール６１〜６２および配線６３が画素回路１０ごとに必要になる。
【００９４】
これに対して、２つの画素回路１０，１０の一方においてはキャパシタＣｓｕｂの他端を電源線２６に、他方においてはキャパシタＣｓｕｂの他端を電源線２７にそれぞれ接続したレイアウト構造とすることにより、配線パターンの入れ替えのためのコンタクトホール６１〜６２および配線６３が不要になるために、その分だけ画素回路１０のレイアウト面積の縮小化を図ることができる。これにより、実施例１の場合と同様に、高精細な表示画像を得ることができるとともに、レイアウトの対称性が失われる影響による画質劣化がないために、高画質な有機ＥＬ表示装置の実現が可能になる。
【００９５】
（実施例４）
実施例４は、先述した実施例２のデルタ配列において、上下に隣接する２つの画素行間で斜めに隣接する２つの画素回路１０Ａ，１０Ｂを対とし、２つの画素回路１０Ａ，１０Ｂをそれぞれ画素行の画素配列方向における逆方向から見たときに、有機ＥＬ素子１１および回路素子のレイアウト形状が対称になるように２つの画素回路１０Ａ，１０Ｂを形成するとともに、配線パターンが対称になるように、しかも配線パターンの位置が逆になるように電源線２６，２７を２つの画素回路１０Ａ，１０Ｂの双方に配線したレイアウト構造を前提としている。
【００９６】
そして、図１４に示すように、画素容量Ｃｐｉｘ、例えばキャパシタＣｓｕｂを画素回路１０内にレイアウトするに当たって、その一端を画素回路１０Ａ，１０Ｂの各々においてノードＡに接続しているのに対して、斜めで対となる２つの画素回路の一方１０ＡにおいてはキャパシタＣｓｕｂの他端を電源線２６に、他方１０ＢにおいてはキャパシタＣｓｕｂの他端を電源線２７にそれぞれ接続したレイアウト構造とする。キャパシタＣｓｕｂの作用については実施例３の場合と同じである。
【００９７】
因みに、実施例２のデルタ配列のレイアウト構造において、２つの画素回路１０Ａ，１０Ｂのいずれの場合にもキャパシタＣｓｕｂの他端を同じ電源線２６（または、電源線２７）に接続するようにした場合は、図１５に示すように、２つの画素回路１０Ａ，１０Ｂ間で電源線２６，２７の各配線パターンを入れ替える必要があるために、その入れ替えのためのコンタクトホール５１，５２および配線５３が画素回路１０ごとに必要になり、その分だけ画素回路１０のレイアウト面積が大きくなる。
【００９８】
これに対して、上記逆方向から見たときの配線パターンの位置が逆になるように電源線２６，２７を２つの画素回路１０Ａ，１０Ｂの双方に配線し、一方の画素回路１０ＡにおいてはキャパシタＣｓｕｂの他端を電源線２６に、他方の画素回路１０ＢにおいてはキャパシタＣｓｕｂの他端を電源線２７にそれぞれ接続することで、配線パターンの入れ替えのためのコンタクトホール５１，５２および配線５３が不要になるために、その分だけ画素回路１０のレイアウト面積の縮小化を図ることができる。これにより、実施例２の場合と同様に、高精細な表示画像を得ることができるとともに、レイアウトの対称性が失われる影響による画質劣化がないために、高画質な有機ＥＬ表示装置の実現が可能になる。
【００９９】
なお、上記実施形態では、図１に示すように、同一の画素行で隣り合う２つの画素回路１０，１０に対して、左側の画素列に電源電位Ｖ１の電源線２６を配線し、右側の画素列に電源電位Ｖ２の電源線２７を配線した構成の画素アレイ部２０に対して適用した場合を例に挙げて説明したが、図１６に示すように、２本の画素列ごとに左右の画素列に対する電源線２６，２７の配線を交互に入れ替えた構成の画素アレイ部２０に対しても同様に適用することが可能である。
【０１００】
また、上記実施形態で示した画素回路１０は、一例に過ぎず、これに限定されるものではない。すなわち、本発明は、電気光学素子および当該電気光学素子を駆動する駆動回路を有し、少なくとも２本の第一，第二の電源線によって電源電位が供給される構成の画素回路がマトリクス状に配置されてなる表示装置全般に適用可能である。
【０１０１】
また、上記実施形態では、３原色（Ｒ，Ｇ，Ｂ）の色配列のカラー表示装置に適用した場合を例に挙げて説明したが、本発明は画素回路のレイアウトに関するものでありことから色配列は問わなく、他の原色の色配列や、補色を使用した色配列（例えば、イエロー、シアン、マゼンタ、緑の４色）のカラー表示装置にも、さらにはモノクロ表示装置にも同様に適用可能である。
【０１０２】
さらに、上記実施形態では、画素回路１０の電気光学素子として、有機ＥＬ素子を用いた有機ＥＬ表示装置に適用した場合を例に挙げて説明したが、本発明はこの適用例に限られるものではなく、デバイスに流れる電流値に応じて発光輝度が変化する電流駆動型の電気光学素子（発光素子）を用いた表示装置全般に対して適用可能である。
【図面の簡単な説明】
【０１０３】
【図１】本発明の一実施形態に係るアクティブマトリクス型表示装置の構成例を示すブロック図である。
【図２】画素回路の基本構成を示す回路図である。
【図３】画素回路の一具体例を示す回路図である。
【図４】第一〜第四走査パルスＶＳＣＡＮ１〜ＶＳＣＡＮ４のタイミング関係および駆動トランジスタのゲート電位Ｖｇおよびソース電位Ｖｓの変化をそれぞれ示すタイミング波形図である。
【図５】対となる２つの画素回路のレイアウトを示す図である。
【図６】ストライプ配列における各画素回路のレイアウト形状を示す図である。
【図７】実施例１に係る２本の電源線のレイアウト関係を示す図である。
【図８】デルタ配列における各画素回路のレイアウト形状を示す図である。
【図９】実施例２に係る２本の電源線のレイアウト関係を示す図である。
【図１０】デルタ配列における２本の電源線の一般的なレイアウト関係を示す図である。
【図１１】画素回路の他の具体例を示す回路図である。
【図１２】実施例３に係る２本の電源線および画素容量のレイアウト関係を示す図である。
【図１３】ストライプ配列において画素容量を同じ電源線に接続する場合のレイアウト関係を示す図である。
【図１４】実施例４に係る２本の電源線および画素容量のレイアウト関係を示す図である。
【図１５】デルタ配列において画素容量を同じ電源線に接続する場合のレイアウト関係を示す図である。
【図１６】本発明の変形例に係るアクティブマトリクス型表示装置の構成例を示すブロック図である。
【符号の説明】
【０１０４】
１０…画素回路、１１…有機ＥＬ素子、１２…駆動トランジスタ、１３…書き込みトランジスタ、１４…補正回路、１５〜１７…スイッチングトランジスタ、１８…キャパシタ、２０…画素アレイ部、２１〜２４…走査線、２５…データ線、２６，２７…電源線、３０…垂直走査回路、３１〜３４…第一〜第四垂直スキャナ、４０…データ書き込み回路
【図１】
2008033091.tif 000003
【図２】
2008033091.tif 000004
【図３】
2008033091.tif 000005
【図４】
2008033091.tif 000006
【図５】
2008033091.tif 000007
【図６】
2008033091.tif 000008
【図７】
2008033091.tif 000009
【図８】
2008033091.tif 000010
【図９】
2008033091.tif 000011
【図１０】
2008033091.tif 000012
【図１１】
2008033091.tif 000013
【図１２】
2008033091.tif 000014
【図１３】
2008033091.tif 000015
【図１４】
2008033091.tif 000016
【図１５】
2008033091.tif 000017
【図１６】
2008033091.tif 000018